(57)【特許請求の範囲】
【請求項１】
第１及び第２の孔部と、前記第１及び第２の孔部の間に設けられた第１の係止部とを側面に有する第１のケースと、
第３及び第４の孔部と、前記第３及び第４の孔部の間に設けられた第２の係止部とを側面に有する第２のケースとを備え、
前記第１のケースの外側に第２のケースを嵌合させて筐体を構成する際に、前記第１及び第２の孔部と前記第３及び第４の孔部とが互いに連通することでストラップ取付孔が形成されるとともに、前記第１の係止部と前記第２の係止部とが互いに重なることでストラップ引掛部が形成され、
前記第２のケースが、前記第３及び第４の孔部の周囲に、これら第３及び第４の孔部にそれぞれ対応するように設けられた一対の隆起部を有することを特徴とするストラップ取付機構。
【請求項２】
前記第１のケースの剛性を、前記第２のケースの剛性より高くしたことを特徴とする請求項１に記載のストラップ取付機構。
【発明の詳細な説明】
【技術分野】
【０００１】
本発明は、携帯電話端末等の筐体にストラップを取り付けるためのストラップ取付機構に関する。
【背景技術】
【０００２】
携帯電話端末の筐体にストラップを取り付けると、使用者がストラップを手首に巻き付ける等して携帯電話端末を吊り下げて持ち運ぶことができ、携帯電話端末の携帯性が向上する。また、近年、ファッション性を考慮したストラップが多数販売されており、各自の携帯電話端末に好みのデザインのストラップを取り付けて、携帯電話端末に装飾を加えている使用者も多い。
【０００３】
携帯電話端末の筐体のストラップ取付機構としては、図４に示されるように、筐体１０１の正面１１１と側面１１２とのコーナー部に、連通した孔部１１３ａ及び１１３ｂを形成するようにしたものが知られている。このようなストラップ取付機構では、孔部１１３ａ又は１１３ｂのうちの一方から他方に、ストラップ１０５を先端の円環状の部分１０５ａから挿入し、ストラップ１０５の他端をストラップ１０５の円環状の部分１０５ａに絡めることで、筐体１０１にストラップ１０５が取り付けられる。
【０００４】
このようなストラップ取付機構は、構成が簡単で、ストラップの取り付けが簡単に行える。しかしながら、このようなストラップ取付機構では、筐体１０１の正面に孔部１１３ａが見えてしまい、デザイン上、好ましくない。
【０００５】
そこで、図５に示されるように、筐体２０１の側面２１２に、連通した孔部２１３ａ及び２１３ｂを形成するようにすることが考えられる。筐体２０１の側面２１２に、孔部２１３ａ及び２１３ｂを形成するようにしてストラップ取付機構を構成した場合には、筐体２０１の正面に孔部が見えなくなり、デザイン性を損なうことがなくなる。
【０００６】
ここで、デザイン性の向上や取付強度の向上を図るようにした各種のストラップ取付機構としては、下記特許文献に示すものが提案されている。
特許文献１には、カバー部材によって、ストラップ取付手段が外部から見えないようにして、外観に影響を与えないようにしたものが記載されている。
また、特許文献２には、ストラップを係止可能な係止棒を有する取付部材を用意しておき、この取付部材をケース本体を構成するフロントケース及びリアケースの間に係合させることで、デザインの制約を少なくし、また、取付強度を上げるようにしたものが記載されている。
さらに、特許文献３には、背面ケースに一対の貫通孔とリブとを形成し、全面ケースに取付孔を画成する底壁を設けることで、外観の小型化を達成し得るものが記載されている。
【先行技術文献】
【特許文献】
【０００７】
【特許文献１】特表２００５−１０９２２４号公報
【特許文献２】特開２００５−１０９２２４号公報
【特許文献３】特開平１１−５４９４７号公報
【発明の概要】
【発明が解決しようとする課題】
【０００８】
ところで、図５に示したように、筐体の側面２１２に、２つの連通した孔部２１３ａ及び２１３ｂを形成するようにしてストラップ取付機構を構成すると、筐体の正面に孔部が見えなくなり、デザイン性を損なうことがなくなる。しかしながら、近年、携帯電話端末の筐体は薄型化の傾向があり、薄型の筐体の場合には、ストラップ取付機構を設けるためのスペースを筐体の側面に広く確保することは難しい。
【０００９】
特に、フロントケースとリアケースとを組み付けて筐体を構成するような場合、筐体の側面にストラップ取付機構を設けるようにすると、フロントケースとリアケースとが重なった部分にストラップ取付機構を設ける必要が生じる。
【００１０】
例えば、図６に示すように、フロントケース３０１の外側にリアケース３０２を嵌合させて筐体３００を構成する場合には、筐体３００の外側になるリアケース３０２側のみに孔部３１３ａ及び３１３ｂによりストラップ取付機構を設けると、ストラップの荷重をリアケース３０２でのみ受けることになるため、ストラップの取り付け強度を十分に確保することが困難となる。これに対し、ストラップの取り付け強度の向上を図るべくリアケース３０２の材料を肉厚の部材にすると、携帯電話端末自体が大型化してしまい携帯性が損なわれる。
【００１１】
一方、図７に示すように、内側になるフロントケース４０１に、連通した孔部４１３ａ及び４１３ｂを形成してストラップ取付機構を構成することも考えられる。この場合には、フロントケース４０１に設けた孔部４１３ａ及び４１３ｂを外部に露呈させるために、外側になるリアケース４０２には、開口４１５を設ける必要がある。
【００１２】
しかしながら、図７に示すように、フロントケース４０１に孔部４１３ａ及び４１３ｂを設けるようにした場合には、図８に示すように、開口４１５による凹部Ｔが生じてしまい、ストラップの取り付け作業がしずらくなる。また、デザイン性の向上のために、フロントケース４０１の色とリアケース４０２の色とを変えるようにした場合には、開口４１５の部分でフロントケース４０１の色が見えてしまい、デザイン性が損なわれる。
【００１３】
なお、特許文献１に示されているものでは、ストラップ取付手段が外部から見えないようにするためのカバー部材が必要になる。また、特許文献２に示されるものでは、ストラップを係止可能な係止棒を有する取付部材を新たに用意する必要がある。また、特許文献３に示されるものでは、ストラップにかかる荷重を背面ケース側のリブで全て受けることになるため、ストラップの取り付け強度が不足するおそれがある。
【００１４】
本発明はこのような課題に鑑みてなされたものであって、デザイン性を担保しつつ、高い強度が得ることができるとともにストラップを容易に取り付けることが可能なストラップ取付機構を提供することを目的とする。
【課題を解決するための手段】
【００１５】
上述の課題を解決するために、本発明に係るストラップ取付機構は、第１及び第２の孔部と、前記第１及び第２の孔部の間に設けられた第１の係止部とを側面に有する第１のケースと、第３及び第４の孔部と、前記第３及び第４の孔部の間に設けられた第２の係止部とを側面に有する第２のケースとを備え、前記第１のケースの外側に第２のケースを嵌合させて筐体を構成する際に、前記第１及び第２の孔部と前記第３及び第４の孔部とが互いに連通することでストラップ取付孔が形成され、前記第２のケースが、前記第３及び第４の孔部の周囲に、これら第３及び第４の孔部にそれぞれ対応するように設けられた一対の隆起部を有することを特徴とする。
【発明の効果】
【００１６】
本発明によれば、筐体の側面にストラップ取付孔が形成され、筐体の正面からストラップ取付孔が見えない構造となるため、デザイン性を担保することができる。また、本発明によれば、フロントケースの係止部とリアケースの係止部とが同位置で重なり、ストラップ引掛部となるため、ストラップの取り付け強度を十分に確保することができる。更に、本発明によれば、ストラップ機構の部分に凹部が生じることがないため、ストラップの取り付けが容易である。
【図面の簡単な説明】
【００１７】
【図１】本発明の実施形態のストラップ取付機構に係る携帯電話端末の筐体の構成を示す分解斜視図である。
【図２】本発明の実施形態のストラップ取付機構に係る携帯電話端末の正面図及び側面図である。
【図３】本発明の実施形態のストラップ取付機構の説明に用いる断面図である。
【図４】筐体の正面と側面とのコーナー部に連通した孔部を形成するようにしたストラップ取付機構の説明図である。
【図５】筐体の側面に連通した孔部を形成するようにしたストラップ取付機構の説明図である。
【図６】リアケース側にストラップ取付機構を設けた場合の説明図である。
【図７】フロントケース側にストラップ取付機構を設けた場合の説明図である。
【図８】フロントケース側にストラップ取付機構を設けた場合の説明図である。
【発明を実施するための形態】
【００１８】
以下、本発明の実施の形態について図面を参照しながら説明する。図１は、本発明の実施形態のストラップ取付機構に係る携帯電話端末の筐体１の構成を示す分解斜視図である。本発明の実施形態に係る携帯電話端末の筐体１は、図１に示すように、フロントケース（第１の筐体）１１の外側にリアケース（第２の筐体）２１を嵌合して構成される。
【００１９】
フロントケース１１内には、電子基板（図示せず）が収納される。リアケース２１の上面には、カメラ部２３が配設される。フロントケース１１の先端には、ヒンジ部１０が設けられる。ヒンジ部１０は、当該筐体１と、ディスプレイ等が配設された他方の筐体（図示せず）とを回動自在に連結するためのものである。
【００２０】
また、本発明の第１の実施形態に係る携帯電話端末の筐体１は、装置全体の剛性に寄与するフロントケース１１は、リアケース２１に比べて、高い強度が要求される。このため、フロントケース１１に使用される材料は、リアケース２１に使用される材料に比べて高剛性のものを用いている。
【００２１】
図１に示すように、フロントケース１１は、側面板１２ａ及び１２ｂを有している。フロントケース１１の一方の側面板１２ａには、孔部（第１及び第２の孔部）１５ａ及び１５ｂと、孔部１５ａ及び１５ｂの間の係止部（第１の係止部）１６が設けられる。
【００２２】
リアケース２１は、側面板２２ａ及び２２ｂを有している。リアケース２１の側面板２２ａ及び２２ｂの内側の間の距離は、フロントケース１１の側面板１２ａ及び１２ｂの外側の間の距離に対応している。また、リアケース２１の一方の側面板２２ａには、孔部（第３及び第４の孔部）２５ａ及び２５ｂと、孔部２５ａ及び２５ｂの間の係止部（第２の係止部）２６が設けられる。孔部２５ａ及び２５ｂの位置は、フロントケース１１の孔部１５ａ及び１５ｂとそれぞれ対応している。また、係止部２６の位置は、フロントケース１１の係止部１６の位置と対応している。更に、孔部２５ａ及び２５ｂの周囲には、隆起部２７が設けられる。隆起部２７は、滑らかな曲線状に隆起している。
【００２３】
図１に示すように、フロントケース１１とリアケース２１とは、互いに対向するように配置され、フロントケース１１の外側にリアケース２１が嵌合されて固定される。また、フロントケース１１には、バッテリーケース１３が固定される。
【００２４】
図２（Ａ）及び図２（Ｂ）は、フロントケース１１に、リアケース２１及びバッテリーケース１３とを固定したときの状態を示す正面図及び側面図である。
【００２５】
前述したように、フロントケース１１の側面板１２ａ及び１２ｂの外側の間の距離は、リアケース２１の側面板２２ａ及び２２ｂの内側の間の距離に対応している。このため、フロントケース１１にリアケース２１を固定すると、リアケース２１の側面板２２ａ及び２２ｂは、フロントケース１１の側面板１２ａ及び１２ｂの外側に重なるように嵌合される。これにより、フロントケース１１とリアケース２１との間には、図２（Ｂ）に示すように、分割ライン３０で段差が生じる。このような構造では、筐体１を薄型にしても、必要な強度を保つことができる。また、フロントケース１１の色とリアケース２１の色とを異なるようにすると、分割ライン３０で色が分かれるツートンカラーのデザインとすることができ、デザイン性の向上を図ることができる。
【００２６】
また、前述したように、本発明の第１の実施形態に係る携帯電話端末の筐体１では、リアケース２１の孔部２５ａ及び２５ｂの位置と、フロントケース１１の孔部１５ａ及び１５ｂとの位置とがそれぞれ対応している。また、係止部２６の位置は、係止部１６の位置と対応している。このため、フロントケース１１にリアケース２１を固定すると、フロントケース１１の孔部１５ａ及び１５ｂとリアケース２１の孔部２５ａ及び２５ｂとの位置が揃い、孔部１５ａ及び１５ｂと孔部２５ａ及び２５ｂとが連通し、図２（Ｂ）のストラップ取付孔３３ａ及び３３ｂが形成される。また、フロントケース１１の係止部１６の位置と、リアケースの係止部２６の位置とが揃い、係止部１６と係止部２６とが同一で重なり、図２（Ｂ）のストラップ引掛部３４が形成される。
【００２７】
このような構造のストラップ取付機構について、更に説明する。図３（Ａ）及び図３（Ｂ）は、図２に示した筐体の断面構造を示すものである。図３（Ａ）は、図２（Ａ）に示した筐体１のＡ−Ａ断面図を示し、図３（Ｂ）は、Ｂ−Ｂ断面図を示すものである。
【００２８】
フロントケース１１の２つの孔部１５ａと孔部１５ｂは、その側面板１２ａの内部で連通しており、図３（Ａ）において、挿入口３２は、フロントケース１１の２つの孔部１５ａと孔部１５ｂがフロントケース１１の内部で連通して生じたものである。フロントケース１１の側面板１２ａ及び１２ｂの外側にリアケース２１の側面板２２ａ及び２２ｂを重ねて固定すると、図３（Ａ）に示すように、フロントケース１１の係止部１６とリアケース２１の係止部２６とが同位置で重なり、これにより、ストラップ引掛部３４が形成される。また、図３（Ｂ）に示すように、フロントケース１１の孔部１５ｂとリアケース２１の孔部２５ｂとは連通して、ストラップ取付孔３３ｂが形成される。同様に、フロントケース１１の孔部１５ａとリアケース２１の孔部２５ａとは連通して、ストラップ取付孔３３ａ（図２（Ｂ）参照）が形成される。
【００２９】
図３（Ａ）及び図３（Ｂ）において、ストラップを取り付ける場合には、使用者は、孔部１５ａ及び１５ｂと孔部２５ａ及び２５ｂとを連通して形成されたストラップ取付孔３３ａ又は３３ｂのうちの一方から、ストラップ（図示せず）の先端の円環状の部分を挿入し、このストラップの先端を挿入口３２を通過させて、ストラップ取付孔３３ａ又は３３ｂのうちの他方から引き出し、ストラップの円環状の部分に、ストラップの他端を絡めて、ストラップを固定する。このとき、孔部２５ａ及び２５ｂの周囲には、隆起部２７が設けられている。このため、使用者は、隆起部２７でストラップの先端をガイドさせながら、ストラップの先端をストラップ取付孔３３ａ又は３３ｂに簡単に挿入することができる。
【００３０】
本発明の第１の実施形態に係る携帯電話端末の筐体１では、側面に設けられた２つのストラップ取付孔３３ａ及び３３ｂによりストラップ取付機構が構成される。このため、筐体１の正面からストラップ取付孔が見えない構造となり、美観が保たれる。
【００３１】
また、図３（Ａ）に示すように、フロントケース１１の係止部１６とリアケース２１の係止部２６とが同位置で重なり、ストラップ引掛部３４となる。このため、ストラップを取り付けた場合、ストラップの荷重は、剛性の高いフロントケース１１の係止部１６とリアケース２１の係止部２６とを重ねてなるストラップ引掛部３４で受けることになり、ストラップの取り付け強度を十分に確保することができる。
【００３２】
更に、本発明の第１の実施形態に係る携帯電話端末の筐体１では、フロントケース１１の係止部１６とリアケース２１の係止部２６とが同位置で重なるため、ストラップ機構の部分に凹部が生じることがなく、ストラップが取り付けが容易である。更に、孔部２５ａ及び２５ｂの周囲に隆起部２７が設けることで、ストラップの取り付けをより簡単に行うことができる。
【００３３】
本発明は、上述した実施形態に限定されるものではなく、この発明の要旨を逸脱しない範囲内で様々な変形や応用が可能である。
【符号の説明】
【００３４】
１：筐体
１０：ヒンジ部
１１：フロントケース（第１のケース）
１２ａ，１２ｂ：側面板
１３：バッテリーケース
１５ａ，１５ｂ：孔部（第１及び第２の孔部）
１６：係止部（第１の係止部）
２１：リアケース（第２のケース）
２２ａ，２２ｂ：側面板
２３：カメラ部
２５ａ，２５ｂ：孔部（第３及び第４の孔部）
２６：係止部（第２の係止部）
２７：隆起部
３０：分割ライン
３２：挿入口
３３ａ，３３ｂ：ストラップ取付孔
３４：ストラップ引掛部
【図１】
0005652861.tif 000002
【図２】
0005652861.tif 000003
【図３】
0005652861.tif 000004
【図４】
0005652861.tif 000005
【図５】
0005652861.tif 000006
【図６】
0005652861.tif 000007
【図７】
0005652861.tif 000008
【図８】
0005652861.tif 000009